(57)【特許請求の範囲】
【請求項１】
交換レンズが着脱自在であり、シャッタが設けられたカメラ本体と、
前記交換レンズが前記カメラ本体に装着されているか否かを検出する交換レンズ検出手段と、
前記交換レンズ検出手段が前記交換レンズがカメラ本体から解放されていることを検出した状態において、前記シャッタの開閉動作を制限するシャッタ制御手段と
を備えることを特徴とするレンズ交換式一眼レフ型デジタルカメラ。
【請求項２】
前記シャッタ制御手段は、シャッタ開許可信号が出力された場合に、前記シャッタを開放することを特徴とする請求項１に記載のレンズ交換式一眼レフ型デジタルカメラ。
【請求項３】
前記シャッタ開許可信号が、前記カメラ本体内部の掃除のために前記シャッタを強制的に開放させる、クリーニングモードを設定することによって出力されることを特徴とする請求項２に記載のレンズ交換式一眼レフ型デジタルカメラ。
【請求項４】
前記シャッタ制御手段は、前記シャッタの開放時間を一定時間内に制限することを特徴とする請求項１に記載のレンズ交換式一眼レフ型デジタルカメラ。
【請求項５】
前記シャッタ制御手段は、所定時間よりも長いシャッタスピードでのシャッタ開動作を禁止可能であることを特徴とする請求項１に記載のレンズ交換式一眼レフ型デジタルカメラ。
【請求項６】
前記シャッタ制御手段は、シャッタ開許可信号が出力された場合に、前記シャッタを開放することを特徴とする請求項５に記載のレンズ交換式一眼レフ型デジタルカメラ。
【請求項７】
前記シャッタ開許可信号が、前記カメラ本体内部の掃除のために前記シャッタを強制的に開放させる、クリーニングモードを設定することによって出力されることを特徴とする請求項６に記載のレンズ交換式一眼レフ型デジタルカメラ。
【請求項８】
前記シャッタ制御手段は、前記シャッタの開放時間を一定時間内に制限することを特徴とする請求項５に記載のレンズ交換式一眼レフ型デジタルカメラ。
【発明の詳細な説明】
【０００１】
【発明の属する技術分野】
本発明はレンズ交換式一眼レフ型デジタルカメラに関し、特に、カメラ本体内に設けられた撮像素子の保護に関する。
【０００２】
【従来の技術】
従来レンズ交換式一眼レフ型デジタルカメラにおいて、バルブ機構を備えたものが知られている。このようなデジタルカメラでは通常、交換レンズをカメラ本体から取り外した状態であってもバルブ機構を用いることは可能であり、すなわちシャッタを長時間開放状態に定めることができる。
【０００３】
【発明が解決しようとする課題】
ところが、交換レンズをカメラ本体から取り外した状態で、シャッタを不用意に長時間開放にしておくと、撮像素子の受光面側にゴミが付着するおそれがある。撮像素子の受光面側にゴミが付着した状態で撮影が行われると、得られた被写体像にゴミの陰影が混入してしまう。
【０００４】
本発明は、レンズ交換式一眼レフ型デジタルカメラにおいて、交換レンズをカメラから取り外した状態でシャッタを長時間開放し続けることを防止し、撮像素子にゴミが付着するおそれを回避することを目的としている。
【０００５】
【課題を解決するための手段】
本発明に係るレンズ交換式一眼レフ型デジタルカメラは、交換レンズが着脱自在であり、シャッタが設けられたカメラ本体と、交換レンズがカメラ本体に装着されているか否かを検出する交換レンズ検出手段と、交換レンズ検出手段が交換レンズがカメラ本体から解放されていることを検出した状態において、シャッタの開閉動作を制限するシャッタ制御手段とを備えることを特徴としている。
【０００６】
シャッタ制御手段は、好ましくはシャッタ開許可信号が出力された場合に、シャッタを開放する。シャッタ開許可信号は例えば、カメラ本体内部の掃除のためにシャッタを強制的に開放させる、クリーニングモードを設定することによって出力される。シャッタ開許可信号が出力されない限りシャッタが開放しないように構成することにより、撮像素子にゴミが付着することを確実に防止できる。
【０００７】
シャッタ制御手段は、シャッタの開放時間を一定時間内に制限してもよい。例えばカメラ本体内の掃除のためにシャッタを開放している時間が長すぎた場合であっても、シャッタを強制的に閉塞することによって撮像素子にゴミが付着することを防止できる。
【０００８】
シャッタ制御手段は、所定時間よりも長いシャッタスピードでのシャッタ開動作を禁止可能であってもよい。このような構成においても、上述したのと同様に、シャッタ制御手段は、シャッタ開許可信号が出力された場合に、シャッタを開放することが好ましい。またシャッタ制御手段は、シャッタの開放時間を一定時間内に制限してもよい。
【０００９】
【発明の実施の形態】
以下、本発明の実施形態を図面を参照して説明する。
図１は、本発明の第１の実施形態を適用したデジタルカメラを後方から見た斜視図である。
【００１０】
このデジタルカメラは一眼レフカメラであり、交換レンズ１１はカメラ本体９０に着脱自在に取り付けられる。カメラ本体９０の上部の中央には光学ファインダ９１が設けられ、背面９２の略中央には画像表示用の液晶パネル（ＬＣＤ）４６が設けられている。液晶パネル４６では、交換レンズ１１によって得られた画像が動画として表示され、また撮影動作によってＰＣカード等の記録媒体（図示せず）に記録された静止画像が表示可能である。液晶パネル４６の横には、モード設定スイッチ９５が設けられている。モード設定スイッチ９５は各種の動作モードを設定するために設けられ、図示実施形態ではジョグダイアルである。
【００１１】
カメラ本体９０を背面から見たとき、カメラ本体９０の上部の右側にはシャッタ釦９３と状態表示装置５６が設けられている。状態表示装置５６は液晶表示素子から構成され、この液晶表示素子にはデジタルカメラの種々の設定状態が文字または記号として表示される。シャッタ釦９３を半押しすることによって、測光、測距等が行われ、全押しすることによって静止画がＰＣカードに記録される。
【００１２】
カメラ本体９０の側面にはカードスロット９６が形成されている。カードスロット９６はＰＣカードをカメラ本体９０内に挿入するために設けられ、カードスロット９６の内部にはＰＣカードが装着されるカードコネクタ（図示せず）が設けられている。
【００１３】
図２はデジタルカメラの主に電気的構成を示すブロック図である。このカメラの動作はマイコンを備えたシステムコントローラ３１によって制御される。すなわちシステムコントローラ３１の制御により、液晶パネル４６に動画あるいは静止画が表示され、ＰＣカードに静止画が記録される。
【００１４】
交換レンズ１１はマウントピン１２、１３、１４を介して、カメラ本体９０（図１）内に設けられた電気回路に電気的に接続される。交換レンズ１１のレンズ鏡筒内には、撮影光学系である前群レンズ１５と後群レンズ１６が設けられ、これらのレンズ１５、１６の間には絞り１７が設けられている。各レンズ１５、１６に対する焦点調節はレンズ制御回路１８によって行われ、ズーミング動作はズームモータ１９によって行われる。レンズ制御回路１８とズームモータ１９は、カメラ本体内に設けられたシステムコントローラ３１からマウントピン１３、１４を介して送られてくる制御信号に従って動作する。絞り１７は、カメラ本体内に設けられた絞り駆動回路３２からマウントピン１２を介して送られてくる制御信号に従って動作し、絞り１７の開度が調節される。絞り駆動回路３２はシステムコントローラ３１によって制御される。
【００１５】
マウントピン１２、１３、１４は、カメラ本体の開口（図示せず）に設けられた環状のマウント板８０に支持され、従来公知のように、マウント板８０に形成された孔から交換レンズ１１側に突出している。またマウント板８０には、マウントピン１２、１３、１４と同様な形態で、交換レンズ装着検出スイッチ８１が設けられている。マウント板８０と交換レンズ装着検出スイッチ８１はシステムコントローラ３１に接続されており、マウント板８０は接地され、交換レンズ装着検出スイッチ８１には所定の大きさの電圧が印加されている。
【００１６】
したがって、カメラ本体９０に交換レンズ１１が取り付けられると、交換レンズ１１の端部がマウントピン１２、１３、１４だけでなく、交換レンズ装着検出スイッチ８１とマウント板８０に当接する。これにより交換レンズ装着検出スイッチ８１とマウント板８０が電気的に導通して交換レンズ装着検出スイッチ８１がオン状態となり、システムコントローラ３１には、交換レンズ１１がカメラ本体９０に装着されていることを示す交換レンズ検出信号が入力される。
【００１７】
カメラ本体内において、レンズ１５、１６の光軸上には、クイックリターンミラー２１が設けられている。クイックリターンミラー２１は、図示された傾斜状態と上方へ回動した水平状態との間において回動自在である。クイックリターンミラー２１の上方にはピント板２２が設けられ、ピント板２２の上方にはペンタプリズム２３が設けられている。ペンタプリズム２３の後方にはファインダ９１（図１）の接眼レンズ２４が配設されている。
【００１８】
クイックリターンミラー２１の後方には、シャッタ２５が設けられ、シャッタ２５の後方には赤外カットフィルタ２６と光学ローパスフィルタ２７が設けられている。光学ローパスフィルタ２７の後方にはＣＣＤ（撮像素子）３３が設けられている。すなわち、クイックリターンミラー２１、シャッタ２５、赤外カットフィルタ２６、光学ローパスフィルタ２７、ＣＣＤ３３は、レンズ１５、１６の光軸上に配置されている。
【００１９】
クイックリターンミラー２１の回転動作はミラー駆動回路３４によって駆動され、シャッタ２５の開閉動作はシャッタ駆動回路３５によって駆動される。ミラー駆動回路３４とシャッタ駆動回路３５はシステムコントローラ３１によって制御される。
【００２０】
通常、ミラー２１は傾斜状態に定められており、交換レンズ１１から取込まれた光をペンタプリズム２３側に導く。このときシャッタ２５は閉じており、ＣＣＤ３３に向かう光路を閉塞している。これに対し撮影が行なわれる時、ミラー２１はミラー駆動回路３４の制御により上方に回動せしめられ、水平状態となる。このミラー２１の回動にともない、シャッタ２５はシャッタ駆動回路３５の制御により開口せしめられ、交換レンズ１１から取込まれた光はＣＣＤ３３の受光面に照射される。すなわち、受光面にはレンズ１５、１６によって得られた画像が形成され、ＣＣＤ３３では、画像に対応した撮像信号が生成される。
【００２１】
システムコントローラ３１にはパルス信号発生回路（ＰＰＧ）３６が接続され、パルス信号発生回路３６はシステムコントローラ３１の制御によって種々のパルス信号を発生する。これらのパルス信号に基づいて、ＣＣＤ駆動回路３７とＡ／Ｄ変換器３８と画像信号処理回路３９とが駆動され、ＣＣＤ駆動回路３７によりＣＣＤ３３の動作が制御される。すなわちＣＣＤ３３から読み出された撮像信号は、Ａ／Ｄ変換器３８によってデジタル信号に変換され、画像信号処理回路３９において、所定の画像処理を施される。画像信号処理回路３９には、１つの画像に対応したデジタルの画像データを格納するために十分な容量を有する画像バッファメモリ４０が接続されている。
【００２２】
また画像信号処理回路３９には、モニタインターフェース４１とカードインターフェース４２とが接続されている。これらのインターフェース４１、４２はシステムコントローラ３１によって制御される。
【００２３】
モニタインターフェース４１には、液晶駆動回路４４を介してバックライト４５と液晶パネル４６が接続されている。液晶パネル４６では、前述したように、画像バッファメモリ４０から読み出された画像データに基づいて、液晶駆動回路４４が制御され、静止画像が表示される。カードインターフェース４２にはカードコネクタ４７が接続され、カードコネクタ４７にはＰＣカード４３が装着可能である。
【００２４】
システムコントローラ３１には、ＡＦセンサ５１と測光センサ５２とオートホワイトバランスセンサ５３が接続されている。ＡＦセンサ５１は従来公知の構成を有し、ＡＦセンサ５１によって、レンズ１５、１６の焦点調節状態が測定される。測光センサ５２によって、露光時の絞り１６の開度とＣＣＤ３３における電荷蓄積時間（露光時間）とを決定するための測光が行なわれる。オートホワイトバランスセンサ５３によって、周囲光の色温度が測定される。
【００２５】
またシステムコントローラ３１には、測光スイッチ５４とレリーズスイッチ５５と状態表示装置５６が接続されている。測光スイッチ５４はシャッタ釦９３を半押しすることによってオン状態となり、これにより、測光センサ５２によって測光が行なわれる。レリーズスイッチ５５はシャッタ釦９３を全押しすることによってオン状態となり、これにより、シャッタ２５が開閉駆動される。すなわちＣＣＤ３３が露光され、ＣＣＤ３３には画像に対応した撮像信号が発生する。
【００２６】
さらにシステムコントローラ３１には、ブザー５７とモード設定スイッチ９５が接続されている。ブザー５７は後述するように、交換レンズ１１をカメラ本体９０から解放した状態でシャッタ２５を所定時間以上にわたって開放しているときに警告音を発生する。モード設定スイッチ９５は上述したようにジョグダイアルであり、各種のモードに応じた回転位置に定めて押すことにより、そのモードが設定される。
【００２７】
図３はシャッタレリーズ動作制御ルーチンのフローチャートである。この制御ルーチンはシステムコントローラ３１によって実行される。
【００２８】
ステップ１０１はレリーズスイッチ５５がオン状態に定められるまで繰り返し実行される。ユーザがシャッタ釦９３を押すことによってレリーズスイッチ５５がオン状態に定められると、ステップ１０２において交換レンズ装着検出スイッチ８１がオン状態に定められたか否か、すなわちカメラ本体９０に交換レンズ１１が装着されているか否かが判定される。交換レンズ１１が装着されているとき、ステップ１０３において通常の撮影が実行され、このルーチンは終了する。
【００２９】
ステップ１０２において交換レンズ装着検出スイッチ８１がオフ状態である、すなわち交換レンズ１１が装着されていないと判定されたとき、ステップ１０４においてクリーニングモードが設定されているか否かが判定される。クリーニングモードは、カメラ本体９０の内部（例えばＣＣＤ３３の受光面）を掃除するためにシャッタ２５を強制的に開放させるモードであり、モード設定スイッチ９５を操作することによって設定される。クリーニングモードを設定することによって、シャッタ開許可信号がモード設定スイッチ９５から出力され、これによりステップ１１１以下が実行される。
【００３０】
ステップ１１１では、クイックリターンミラー２１が上方へ回動し水平状態に定められる。ステップ１１２ではシャッタ２５が開放する。ステップ１１３ではレリーズスイッチ５５がオフ状態に切り換えられたか否かが判定される。ユーザがシャッタ釦９３を解放することによってレリーズスイッチ５５がオフ状態に切り換えられると、ステップ１１６へ進み、シャッタ５５が閉塞される。そしてステップ１１７においてクイックリターンミラー２１が下方へ回動して傾斜状態に復帰し、このルーチンは終了する。
【００３１】
すなわちユーザは、シャッタ釦９３を押すことによってシャッタ２５を開放し、この状態を維持しながらＣＣＤ３３の受光面を掃除することができる。この作業中に制限時間（例えば３０秒）が経過すると、ブザー５７が警告音を発生してシャッタ２５が閉じる。すなわちステップ１１３においてレリーズスイッチ５５がオフ状態ではないと判定されたとき、ステップ１１４において、シャッタ２５が開放してから制限時間が経過したか否かが判定され、制限時間が経過しない間はステップ１１３へ戻るが、制限時間が経過したとき、ステップ１１５においてブザー５７が起動されて警告音が所定時間（例えば３秒間）発生する。そしてステップ１１６、１１７が実行され、このルーチンは終了する。
【００３２】
このようにシャッタレリーズ動作制御ルーチンでは、交換レンズ１１がカメラ本体９０から解放されていることが検出された状態において、シャッタ２５の開閉動作が制限され、シャッタ２５の開放時間は一定値以下に制限される。したがって例えば、交換レンズ１１を取り外したままシャッタ２５を不用意に長時間開放にしておく事態が回避され、ＣＣＤ３３にゴミが付着することが防止される。また本実施形態では、クリーニングモードにおいてのみ、シャッタ２５が開放可能であるので、ＣＣＤ３３に対するゴミの付着をより確実に防止できる。
【００３３】
図４は第２の実施形態におけるシャッタレリーズ動作制御ルーチンのフローチャートである。第２の実施形態は、シャッタレリーズ動作制御ルーチンを除いては第１の実施形態と同じ構成を有する。
【００３４】
ステップ２０１〜２０３はステップ１０１〜１０３（図３）と同じである。ステップ２０４ではクリーニングモードが設定されているか否かが判定され、クリーニングモードが設定されていないと判定されたとき、ステップ２０５において、シャッタスピードが所定時間（例えば１秒）以上の低速に設定されているか否かが判定される。シャッタスピードが所定時間以上ではないとき、ステップ２０３が実行される。すなわち通常の撮影動作が実行されてシャッタレリーズが行われる。これに対し、シャッタスピードが所定時間以上であるとき、シャッタ２５を開放するとＣＣＤ３３にゴミが付着するおそれがあるので、ステップ２０１へ戻り、シャッタ２５は開放されない。
【００３５】
ステップ２０４において、クリーニングモードが設定されていると判定されたとき、ステップ２１１へ進む。ステップ２１１〜２１７はステップ１１１〜２１７（図３）と同じである。
【００３６】
以上のように第２の実施形態では、クリーニングモードではないとき、所定時間よりも長いシャッタスピードでのシャッタ開動作が禁止され、シャッタスピードが比較的速いときはシャッタレリーズが許可される。
【００３７】
【発明の効果】
以上のように本発明によれば、レンズ交換式一眼レフ型デジタルカメラにおいて、交換レンズをカメラから取り外した状態でシャッタを長時間開放し続けることを防止し、撮像素子にゴミが付着するおそれが回避される。
【図面の簡単な説明】
【図１】本発明の第１の実施形態であるデジタルカメラを後方から見た斜視図である。
【図２】デジタルカメラの主に電気的構成を示すブロック図である。
【図３】第１の実施形態におけるシャッタレリーズ動作制御ルーチンのフローチャートである。
【図４】第２の実施形態におけるシャッタレリーズ動作制御ルーチンのフローチャートである。
【符号の説明】
５５  レリーズスイッチ
５７  ブザー
【図１】
0003843001.tif 000002
【図２】
0003843001.tif 000003
【図３】
0003843001.tif 000004
【図４】
0003843001.tif 000005